【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
下部ベッドスプレッド（１０）と、
前記下部ベッドスプレッド（１０）に取り付けられたマットレス体（３０）であって、互いに略平行でありかつ一列に配設されてエアセル列を形成する複数の身体エアセル（３１）および好ましくは複数の頭部エアセル（３２）を含むマットレス体（３０）と、
前記下部ベッドスプレッド（１０）にしっかりと接続され、前記マットレス体（３０）を被覆する上部ベッドスプレッド（５０）と、
ポンプ（７１）と、
前記ポンプ（７１）を前記エアセルに接続する少なくとも１つの管路と、
を含むポンピング組立体（７０）と、
を備え、
前記管路が前記ポンプ（７１）を前記エアセルに接続して、前記エアセルの膨張および／または収縮を選択的に制御することを特徴とする、
医療用エアマットレス。
【請求項２】
前記ポンプ（７１）を前記エアセル列の奇数位置のエアセル（３１）に接続する奇数身体管路（７３）、および前記ポンプ（７１）を前記エアセル列の偶数位置のエアセル（３１）に接続する偶数身体管路（７４）を特徴とする、請求項１に記載の医療用エアマットレス。
【請求項３】
管路に、好ましくは前記奇数身体管路（７３）および前記偶数身体管路（７４）に接続された急速放出弁（７８）を特徴とする、請求項１または２に記載の医療用エアマットレス。
【請求項４】
好ましくは前記マットレス体（３０）が前記下部ベッドスプレッド（１０）の２つの長手方向側部付近に、かつ互いに略平行に、傾斜提供エアセル（３２）を横切って取り付けられるように、前記下部ベッドスプレッド（１０）に長手方向に取り付けられた２つの傾斜提供エアセル（２０）をさらに備えることを特徴とする、請求項１ないし３のいずれかに記載の医療用エアマットレス。
【請求項５】
各エアセルの直径が幅広端から幅狭端に向かって徐々に漸減し、かつ前記エアセルが前記幅広端を前記幅狭端に隣接して配設されることを特徴とする、請求項１の前段部分に、好ましくは請求項１ないし４のいずれかに記載の医療用エアマットレス。
【請求項６】
ガードレールエアセル（６１）を持つガードレール、および前記ポンプ（７１）を前記ガードレールエアセル（６１）に接続するガードレール管路（７７）を特徴とする、請求項１の前段部分に、好ましくは請求項１ないし５のいずれかに記載の医療用エアマットレス。
【請求項７】
前記ガードレールがさらに、前記上部ベッドスプレッド（５０）の長手方向縁部に隣接してそれぞれ形成された、前記上部ベッドスプレッド（５０）の少なくとも一方の側部に固定された少なくとも１つのガードレールスリーブ（５２）を含み、各ガードレールスリーブが少なくとも１つのスリーブ体（５２１）を有することを特徴とする、請求項６に記載の医療用エアマットレス。
【請求項８】
前記ガードレールがさらに、前記ガードレールスリーブ（５２）内に取り付けられるガードレールユニット（６０）を含み、前記ガードレールユニット（６０）が少なくとも１つのガードレールエアセル（６１）を含み、前記ガードレールエアセル（６１）が前記ガードレールスリーブ（５２）の前記スリーブ体（５２１）内に取り付けられることを特徴とする、請求項６または７に記載の医療用エアマットレス。
【請求項９】
各ガードレールスリーブ（５２）が、別々に形成され好ましくは互いに同軸に整列する２つのスリーブ体（５２１）を有することを特徴とする、請求項７または８に記載の医療用エアマットレス。
【請求項１０】
前記ガードレールスリーブ（５２）が、好ましくは二重縫合線によりかつ前記上部ベッドスプレッドの表面に直接固定された平坦な基部（８００）を有することを特徴とする、請求項７ないし９のいずれかに記載の医療用エアマットレス。
【請求項１１】
前記マットレス体（３０）に取り付けられた、好ましくは複数の微小振動体（４１）を有するマッサージユニット（４０）を特徴とする、請求項１の前段部分に、好ましくは請求項１ないし１０のいずれかに記載の医療用エアマットレス。
【請求項１２】
電熱シートの形のヒートユニット（５１）を特徴とする、請求項１の前段部分、好ましくは請求項１ないし１１のいずれかに記載の医療用エアマットレス。
【請求項１３】
前記ヒートユニット（５１）が前記上部ベッドスプレッド（５０）に取り付けられることを特徴とする、請求項１２に記載の医療用エアマットレス。
【請求項１４】
前記ヒートユニット（５１）が炭素繊維で作られることを特徴とする、請求項１２または１３に記載の医療用エアマットレス。
【請求項１５】
前記ポンピング組立体（７０）がさらに、
前記ポンプ（７１）に接続され、好ましくは前記ポンプ（７１）と身体管路（７３、７４）およびガードレール管路（７７）との間に接続された身体交互動作弁（７０２）と、
前記奇数身体管路（７３）と前記エアセル列の奇数位置の頭部エアセル（３２）との間に接続された第１逆止弁（７３１）と、
前記偶数身体管路７４と前記エアセル列の偶数位置の頭部エアセル（３２）との間に接続された第２逆止弁（７４１）と、
を含むことを特徴とする、請求項２ないし１４のいずれかに記載の医療用エアマットレス。
【請求項１６】
前記ポンピング組立体（７０）がさらに、
前記身体交互動作弁（７０２）と前記ガードレール管路（７７）との間に接続されたガードレール電磁弁（７７２）、および
前記身体交互動作弁（７０２）と前記ガードレール電磁弁（７７２）との間に取り付けられた第３逆止弁（７７１）、および／または
前記ポンプ（７１）に接続された傾斜提供電磁弁（７０３）、および
前記傾斜提供電磁弁（７０３）と前記傾斜提供管路（７２）との間に接続された傾斜提供交互動作弁（７０１）、
を含むことを特徴とする、請求項６ないし１５のいずれかに記載の医療用エアマットレス。
【請求項１７】
各身体エアセル（３１）および／または各頭部エアセル（３２）の直径が本質的に均一であることを特徴とする、請求項１ないし１６のいずれかに記載の医療用エアマットレス。
【請求項１８】
前記ポンピング組立体（７０）がさらに、
前記ポンプ（７１）と前記身体管路および前記ガードレール管路（７７）との間に接続された身体交互動作弁（７０２）と、
前記奇数身体管路（７３）と前記エアセル列の奇数位置の頭部エアセル（３２）との間に接続された第１逆止弁（７３１）と、
前記偶数身体管路（７４）と前記エアセル列の偶数位置の頭部エアセル（３２）との間に接続された第２逆止弁（７４１）と、
を含むことを特徴とする、請求項１ないし１７のいずれかに記載の医療用エアマットレス。
【請求項１９】
前記ポンピング組立体（７０）がさらに、
前記身体交互動作弁（７０２）と前記ガードレール管路（７７）との間に接続された手動交互動作装置と、
前記身体交互動作弁（７０２）と前記手動交互動作装置との間に取り付けられた第３逆止弁（７７１）と、
を含むことを特徴とする、請求項１ないし１８のいずれかに記載の医療用エアマットレス。
【請求項２０】
前記エアセル列の中央部に配設され、かつ前記ポンピング組立体に接続された独立エアセル（２３）を特徴とする、請求項１の前段部分に、好ましくは、請求項１ないし１９のいずれかに記載の医療用エアマットレス。
【請求項２１】
前記ポンピング組立体が前記独立エアセル（２３）に接続された独立収縮ユニットを含むことを特徴とする、請求項２０に記載の医療用エアマットレス。
【請求項２２】
各身体エアセル（３１）および／または各頭部エアセル（３２）および各独立エアセル（２３）の直径がそれぞれ均一であることを特徴とする、請求項２０または２１に記載の医療用エアマットレス。
【請求項２３】
各独立エアセル（２３）の直径が幅広端から幅狭端に向かって徐々に漸減することを特徴とする、請求項２０または２２に記載の医療用エアマットレス。
【請求項２４】
前記独立エアセル（２３）が幅広端を幅狭端に隣接して配設されることを特徴とする、請求項２３に記載の医療用エアマットレス。
【請求項２５】
前記ポンピング組立体（７０）がさらに、
前記ポンプ（７１）を前記エアセル列の奇数位置の独立エアセル（２３）に接続する奇数独立管路（５４）と、
前記ポンプ（７１）を前記エアセル列の偶数位置の独立エアセル（２３）に接続する偶数独立管路（５５）と、
を含むことを特徴とする、請求項２０ないし２４のいずれかに記載の医療用エアマットレス。
【請求項２６】
前記独立収縮ユニットが奇数電磁弁（５４１）および偶数電磁弁（５５１）を含むと共に、前記独立エアセル（２３）が前記奇数および偶数電磁弁（５４１、５５１）を介して独立して選択的に収縮されるように、外部への空気抜き出し開口を有し、
前記奇数独立管路（５４）が前記奇数独立電磁弁（５４１）を介して前記奇数身体管路（７３）に接続され、
前記偶数独立管路（５５）が前記偶数独立電磁弁（５５１）を介して前記偶数身体管路（７４）に接続され、
前記ポンピング組立体（７０）が前記ポンプ（７１）と前記身体管路（７３、７４）および前記独立管路（５４、５５）との間に接続された身体交互動作弁（５０１）を含む、
ことを特徴とする、請求項２０ないし２５のいずれかに記載の医療用エアマットレス。
【請求項２７】
前記独立エアセル（２３）が奇数および偶数電磁弁（５４１、５５１）を介して独立して収縮可能であるように、前記独立収縮ユニットが奇数電磁弁（５４１）および偶数電磁弁（５５１）を含み、外部への空気抜き出し開口を有しており、
前記奇数独立管路（５４）が前記奇数独立電磁弁（５４１）を介して前記奇数身体管路（７３）に接続され、かつ前記偶数独立管路（５５）が前記偶数独立電磁弁（５５１）を介して前記偶数身体管路（７４）に接続される、
ことを特徴とする、請求項２０ないし２６のいずれかに記載の医療用エアマットレス。
【請求項２８】
前記独立収縮ユニットが前記身体管路（７３、７４）と前記独立管路（５４、５５）との間に接続された手動交互動作装置（８０）を含むことを特徴とする、請求項２０ないし２７のいずれかに記載の医療用エアマットレス。
【請求項２９】
記独立収縮ユニットが、前記身体管路（７３、７４）と前記独立管路（５４、５５）との間に接続された手動交互動作装置（８０）を含むこと、および前記ポンピング組立体（５０）がさらに、
前記ポンプ（７１）と前記身体管路（７３、７４）および前記独立管路（５４、５５）との間に接続された身体交互動作弁（７０２）と、
前記奇数身体管路（７３）と前記奇数頭部エアセル（３２）との間に接続された第１逆止弁（７３１）と、
前記偶数身体管路（７３）と前記偶数頭部エアセル（３２）との間に接続された第２逆止弁（７４１）と、
を含むことを特徴とする、請求項２０ないし２８のいずれかに記載の医療用エアマットレス。
【請求項３０】
前記マットレス体（３０）の片側に長手方向に取り付けられ、かつ前記医療用エアマットレスの支持面（８０３）を拡大し、かつ／または前記上部ベッドスプレッド（５０）を支持する、少なくとも１つのオフセットエアセル（３４Ａ）を特徴とする、請求項１ないし２９のいずれかに記載の医療用エアマットレス。
【請求項３１】
前記オフセットエアセル（３４）が、前記身体エアセル（３１）および／または前記頭部エアセル（３２）につながる管路に接続され、好ましくは前記逆止弁（７３１、７４１）によって保護されることを特徴とする、請求項３０に記載の医療用エアマットレス。
【請求項３２】
下部ベッドスプレッド（１０）と、互いに略平行であり一列に配設されてエアセル列を形成する複数の身体エアセル（３１）および好ましくは複数の頭部エアセル（３２）を持ち、前記下部ベッドスプレッド（１０）に取り付けられたマットレス体（３０）と、ポンプ（７１）および前記ポンプ（７１）を前記エアセルに接続する少なくとも１つの管路を持つポンピング組立体（７０）とを備えた医療用エアマットレス、好ましくは請求項１ないし３１のいずれかに記載の医療用エアマットレスを膨張／収縮する方法であって、前記エアセルが選択的に膨張および／または収縮されることを特徴とする方法。
【請求項３３】
下部ベッドスプレッド（１０）と、一列に配設されてエアセル列を形成する複数のエアセルを持ち、前記下部ベッドスプレッド（１０）に取り付けられたマットレス体（３０）とを備え、
前記エアセル列の偶数位置に偶数エアセルがあり、かつ前記エアセル列の奇数位置に奇数エアセルがあり、前記エアセルの直径が幅広端から幅狭端に向かって徐々に漸減し、前記エアセルが幅広端を幅狭端に隣接して配設されて成る、
医療用エアマットレス、好ましくは請求項５ないし３１のいずれかに記載の医療用エアマットレスの支持面（８０３）を傾斜する方法であって、
全ての偶数エアセルまたは全ての奇数エアセルが膨張または収縮するように、前記偶数および／または奇数エアセルが別々に膨張および／または収縮されることを特徴とする方法。
【請求項３４】
選択的に選ばれたエアセルの膨張／収縮が片手操作によって、好ましくは膨張／収縮を制御する少なくとも１つのワンタッチボタンを持つ制御装置を操作することによって実行されることを特徴とする、請求項３２または３３に記載の方法。
【請求項３５】
傾斜提供エアセルならびに／または偶数身体セルならびに／または奇数身体セルならびに／または偶数および奇数身体セルを選択的に膨張および／または収縮することによって、少なくとも３つの傾斜角度を達成可能であることを特徴とする、請求項３２ないし３４のいずれかに記載の方法。
【請求項３６】
下部ベッドスプレッド（１０）と、互いに略平行でありかつ一列に配設されてエアセル列を形成する複数の身体エアセル（３１）および好ましくは複数の頭部エアセル（３２）を持ち、前記下部ベッドスプレッド（１０）に取り付けられたマットレス体（３０）と、ポンプ（７１）および前記ポンプ（７１）を前記エアセルに接続する少なくとも１つの管路を持つポンピング組立体（７０）とを備えた医療用エアマットレス、好ましくは請求項１ないし３１のいずれかに記載のマットレスに容器、好ましくは便器を受容するための位置を生成する方法であって、前記ポンピング組立体に独立して接続されて前記エアセル列の中央部分に配設された独立エアセル（２３）が収縮して、前記マットレス体（３０）の中央部に略凹状位置を形成するように、前記エアセルが独立して膨張および／または収縮されることを特徴とする方法。
【手続補正２】
【補正対象書類名】明細書
【補正対象項目名】００５６
【補正方法】変更
【補正の内容】
【００５６】
図１０Ｆの図形部分（ａ）および（ｂ）では、偶数または奇数身体エアセル３２のいずれかが膨張する。傾斜提供エアセル２０は両方とも収縮する。この状態で、表面は第１小角度に、例えば１０度または略１０度に傾斜する。
【手続補正３】
【補正対象書類名】明細書
【補正対象項目名】００５７
【補正方法】変更
【補正の内容】
【００５７】
図１０Ｆの図形部分（ｃ）および（ｄ）では、マットレス体（３０、３０Ａ）の右側または左側いずれかの傾斜提供エアセル（２０、２０Ａ）が膨張する。偶数および奇数身体エアセル（３１、３１Ａ、３２、３２Ａ、２３、２３Ａ）も両方とも膨張するので、図形部分（ｃ）および（ｄ）に係る傾斜角度は図形部分（ａ）および（ｂ）の場合より大きく、例えば略２０度になる。
【手続補正４】
【補正対象書類名】明細書
【補正対象項目名】００５８
【補正方法】変更
【補正の内容】
【００５８】
図１０Ｆの図形部分（ｅ）および（ｆ）では、偶数または奇数身体エアセル（３１、３１Ａ、３２、３２Ａ、２３、２３Ａ）が膨張し、傾斜提供エアセル（２０、２０Ａ）の１つも同時に膨張する。したがって、総傾斜角度はさらに大きく、例えば略３０度になる。
【手続補正５】
【補正対象書類名】図面
【補正対象項目名】図３Ａ
【補正方法】変更
【補正の内容】
【図３Ａ】
2014516737.tif 000001
【手続補正６】
【補正対象書類名】図面
【補正対象項目名】図３Ｂ
【補正方法】変更
【補正の内容】
【図３Ｂ】
2014516737.tif 000002
【手続補正７】
【補正対象書類名】図面
【補正対象項目名】図８
【補正方法】変更
【補正の内容】
【図８】
2014516737.tif 000003